(57)【要約】【課題】この発明により、メガネの曇を防止するマスクを提供することができる。【解決手段】  人の口や鼻を覆うマスクであって、このマスク１０は通気性のある表布２０と、この表布２０の裏側に設けられた裏布３０と、この表布２０と裏布３０の両側に設けられた取付紐４０とから構成され、この表布２０と裏布３０は上下端と両側端は相互に結合され、この裏布の中央の口や鼻の近傍には呼気を通す開口部３２を設け、呼気が上方に逃げるのを防止し、メガネの曇り止めをするマスクである。【選択図】図１
2017061763.tif 000002
【特許請求の範囲】
【請求項１】
人の口や鼻を覆うマスクであって、このマスクは通気性のある表布と、この表布の裏側に設けられた裏布と、この表布と裏布の両側に設けられた取付紐とから構成され、この表布と裏布は上下端と両側端において相互に結合され、この裏布の鼻や口の近傍には口や鼻からの呼気を通す開口部を設け、メガネの曇り止めをするマスク。
【請求項２】
請求項１のマスクの裏布の通気性は表布の通気性より小さいことを特徴とするマスク。
【請求項３】
請求項１又は請求項２のマスクの開口部周辺にスリットを入れたことを特徴とするマスク。
【請求項４】
請求項１乃至請求項３の何れかのマスクにおいて、裏布の上部を延長して上部折り返し部とし、両側部を延長して側部折り返し部として、これらを内側に折り返したことを特徴とするマスク。
【請求項５】
請求項１乃至請求項４の何れかのマスクにおいて、表布や裏布に襞を設けたことを特徴とするマスク。
【発明の詳細な説明】
【技術分野】
【０００１】  この発明は、人が口や鼻を覆って雑菌等を吸入したり排出したりするのを防止するマスクに関する。
【背景技術】
【０００２】  従来、織布や不織布により口や鼻を覆って、雑菌等を濾過し、雑菌等を吸入したり排出したりするのを防止するマスクが多く使用されてきた。しかしながら、このようなマスクでは、鼻の両脇の隙間から上部に湿った呼気が排出され、メガネを曇らせるという問題があった。
【先行技術文献】
【特許文献】
【０００３】
【特許文献１】特開２００２−２１００３０
【特許文献２】特開２００７−６１５８５
【発明の概要】
【発明が解決しようとする課題】
【０００４】  この為、特許文献１のように、マスクの布の上端にワイヤを埋め込み、着用時に鼻の両脇に沿った形状に変形させて、隙間を埋めようとする技術が公開されていた。しかしながら、この技術では、呼気が排出される際、呼気がマスクの布を外方に押圧して、マスクの上端と顔面の間に隙間を生じさせて、呼気が上方に排出される問題は解決されていなかった。【０００５】  そこで、特許文献２のように、マスクの布の上端から内側・下方に伸びる短い薄膜片を設けて、呼気が上方に漏れるのを防止しようとする技術が公開されていた。しかしながら、この技術でも、呼気の圧力で布が外方に押し出されると、薄膜片と顔面との隙間が空いてしまい、上方に呼気が逃げるといる問題は解決されていなかった。
【課題を解決するための手段】
【０００６】  人の口や鼻を覆うマスクであって、このマスクは通気性のある表布と、この表布の裏側に設けられた裏布と、この表布と裏布の両側に設けられた取付紐とから構成され、この表布と裏布は上下端と両側端において相互に結合され、この裏布の鼻や口の近傍には口や鼻からの呼気を通す開口部を設け、メガネの曇り止めをするマスクである。
【発明の効果】
【０００７】  この発明により上記の問題点を解決し、メガネの曇を防止するマスクを提供することができる。
【図面の簡単な説明】
【０００８】
【図１】第一の実施例のマスクを裏側から見た背面図である。
【図２】第一の実施例のマスクを示す図１のＡＡ視の断面図である。
【図３】第一の実施例のマスクの使用状態を示す側面図である。
【図４】第二の実施例のマスクを裏側から見た背面図である。
【図５】第三の実施例のマスクを裏側から見た背面図である。
【図６】第四の実施例のマスクを裏側から見た背面図である。
【図７】第五の実施例のマスクを裏側から見た背面図、正面図、平面図、底面図、左側面図、右側面図である。
【図８】第六の実施例のマスクを裏側から見た背面図、正面図、平面図、底面図、左側面図、右側面図である。
【発明を実施するための形態】
【０００９】  人の口や鼻を覆うマスクであって、このマスクは通気性のある表布と、この表布の裏側に設けられた裏布と、この表布と裏布の両側に設けられた取付紐とから構成され、この表布と裏布は上下端と両側端において相互に結合され、この裏布の鼻や口の近傍には口や鼻からの呼気を通す開口部を設け、メガネの曇り止めをするマスクである。
【００１０】  上記のマスクの裏布の通気性は表布の通気性より小さいことを特徴とするマスクである。
上記のマスクの開口部周辺にスリットを入れたことを特徴とするマスクである。
上記の何れかのマスクにおいて、裏布の上部を延長して上部折り返し部とし、両側部を延長して側部折り返し部として、これらを内側に折り返したことを特徴とするマスクである。
上記の何れかのマスクにおいて、表布や裏布に襞を設けたことを特徴とするマスクである。
【実施例】
【００１１】  図１、図２、図３により第一の実施例を説明する。このマスク１０は、人の口や鼻を覆うマスクであって、マスク１０は通気性のある表布２０と、表布２０の裏側に設けられた裏布３０と、表布２０と裏布３０の両側に設けられた取付紐４０とから構成されている。表布２０と裏布３０は上下端と両側端において結合部５０により相互に結合されている。結合部５０は、接着、融着や縫合により結合されるが、両側端の結合部５０は上下端の結合部５０より粗であっても構わない。【００１２】  表布２０と裏布３０は織布や不織布で作られ、通気性を有している。表布２０の通気性は、裏布３０の通気性より大きく設定してある。又、表布２０には襞２１が横方向に設けられ、裏布３０にも横方向に襞３１が設けられて、顔面への密着性を良くしている。裏布３０の中央下部近傍には口や鼻からの呼気を通す略逆Ｕ字型の開口部３２が設けられている。【００１３】  表布２０と裏布３０の間には周囲を結合部５０で囲まれた呼気室６０を形成している。使用時は、呼気が開口部３２を通過して呼気室６０に排出され、呼気室６０内に分散され、表布２０で濾過されて外部に排出される。この時、呼気室６０の内圧は上昇するので、表布２０は外方に押し出され、内布３０は顔面側に押圧され、顔面に密着する。なお、裏布３０の通気性は表布２０の通気性より小さいので裏布３０側に透過する呼気は少ない。【００１４】  この為、広い面積を有する裏布３０と顔面との隙間が全面に渡って少なくなり、この隙間から上方に逃げる呼気は極めて少なくなる。これにより、メガネの曇りを防止することができる。なお、表布２０の襞２１と裏布３０の襞３１は呼気が両側に分散するガイドの役も有している。この時、襞２１と襞３１は呼気室６０の内部側が下に凸になるようにすると上方に向かう呼気をより側方にガイドし易くすることができる。【００１５】  図４は第二の実施例のマスク１０であり、開口部３２の周囲から放射状にスリット３３を入れたもので、鼻や口の形状への追従性をよくすることができる。
図５は第三の実施例のマスク１０であり、開口部３２はＵ字型でなく、縦方向のスリッ３３トとし、横方向のスリット３３も合わせて設けたものであり、同じく鼻や口への追従性をよくするとともに、漏れも少なくすることができる。【００１６】  図６は第四の実施例のマスク１０であり、裏布３０の上部を延長して上部折り返し部３５とし、裏布３０の両側部を延長して側部折り返し部３６とし、内側に折り返したものである。これにより、上部や側部から排出される呼気をさらに少なくすることができる。裏布３０の開口部３２は鼻と口の近傍にのみに限定してあり、鼻や口からの呼気が呼気室６０外に漏れるのを最少としたものである。この為、開口部３２は鼻の部分は幅が狭く、口の部分は幅が広く、二等辺三角形の角を丸めた形を有している。呼気室６０内には当て布を挿入できる利点もある。【００１７】  図７は、第五の実施例のマスクであり、上部折り返し部３５の中央に切り欠き３７を設けたものである。鼻との干渉を避けるものである。側部折り返し部３６は、コストダウンの為、省略している。【００１８】  図８は第六の実施例のマスクであり、第四の実施例と第五の実施例のマスクから上部折り返し部３５と側部折り返し部３６を省略し、開口部３２は同一としたものである。形状を明確化する為、六面図を追加した。
【産業上の利用可能性】
【００１９】  この発明のマスクは、感染症の患者からの感染の防止や花粉症の対策にも利用可能である。
【符号の説明】
【００２０】１０はマスク
２０は表布
２１は襞
３０は裏布
３１は襞
３２は開口部
３３はスリット
３５は上部折り返し部
３６は側部折り返し部
３７は切り欠き
４０は取付紐
５０は結合部
６０は呼気室
【図１】
2017061763.tif 000003
【図２】
2017061763.tif 000004
【図３】
2017061763.tif 000005
【図４】
2017061763.tif 000006
【図５】
2017061763.tif 000007
【図６】
2017061763.tif 000008
【図７】
2017061763.tif 000009
【図８】
2017061763.tif 000010